【手続補正書】
【提出日】平成16年9月27日(2004.9.27)
【手続補正１】
【補正対象書類名】明細書
【補正対象項目名】発明の名称
【補正方法】変更
【補正の内容】
【発明の名称】印刷システム、及びその方法、及びコンピュータ読み取り可能なプログラムが格納された記憶媒体
【手続補正２】
【補正対象書類名】明細書
【補正対象項目名】特許請求の範囲
【補正方法】変更
【補正の内容】
【特許請求の範囲】
【請求項１】
印刷オーダを生成する情報処理装置と、該印刷オーダを受け付ける印刷管理装置とを有する印刷システムであって、
前記情報処理装置は、前記印刷管理装置から画像と該画像のオーダ有効期限情報とを受信し該画像に基づいて印刷オーダの生成を行い、該印刷オーダ生成の際に、印刷オーダで使用する画像に関する前記オーダ有効期限情報に基づき、印刷が可能であるかを判定する期限判定手段と、前記期限判定手段により印刷が可能であると判定された場合に、前記印刷管理装置に対して印刷オーダを送信する印刷オーダ送信手段とを有し、
前記印刷管理装置は、画像の有効期限を管理する期限管理手段と、前記情報処理装置から印刷オーダを受信した場合に、該印刷オーダで使用する画像に関する前記期間管理手段により管理されている有効期限に基づいて、該印刷オーダの内容を受け付けるか否かを判断するオーダ受け付け手段とを有し、
前記オーダ受け付け手段は、前記有効期限の一定期間経過後も印刷オーダを受付可能と判断を行い、前記情報処理装置と前記印刷管理装置との両方で前記画像の有効期限を判断することを特徴とする印刷システム。
【請求項２】
前記印刷管理装置と接続されている、画像を保管する画像保管装置を有することを特徴とする請求項１記載の印刷システム。
【請求項３】
前記印刷管理装置と接続されている、印刷装置を有することを特徴とする請求項１乃至２記載の印刷システム。
【請求項４】
前記印刷管理装置は、画像を保管している画像保管装置から画像の有効期限情報を受信し、該有効期限情報を前記期限管理手段に登録する登録手段を有していることを特徴とする請求項１乃至３記載の印刷システム。
【請求項５】
前記印刷管理装置は、前記オーダ受け付け手段によって受け付けた印刷オーダで使用する画像を収集する収集手段を有することを特徴とする請求項１乃至４記載の印刷システム。
【請求項６】
前記印刷管理装置は、前記収集手段によって集められた画像と前記印刷オーダとに基づいて印刷依頼を生成し前記印刷装置に送信する印刷依頼手段を有することを特徴とする請求項１乃至５記載の印刷システム。
【請求項７】
前記印刷管理装置は、前記情報処理装置とインターネットを介して接続されるウェブサーバであることを特徴とする請求項１乃至６記載の印刷システム。
【請求項８】
前記印刷装置から情報処理装置が受信した画像は、保管されている画像から縮小された編集用の低解像度の画像であり、前記印刷オーダは、該編集用画像を用いた編集履歴をスクリプト形式で記述したものであることを特徴とする請求項１乃至７記載の印刷システム。
【請求項９】
印刷オーダを生成する情報処理装置と、該印刷オーダを受け付ける印刷管理装置とを有する印刷システムの制御方法であって、
前記情報処理装置は、前記印刷管理装置から画像と該画像のオーダ有効期限情報とを受信し該画像に基づいて印刷オーダの生成を行う際に、印刷オーダで使用する画像に関する前記オーダ有効期限情報に基づき、印刷が可能であるかを判定する期限判定工程と、前記期限判定工程により印刷が可能であると判定された場合に、前記印刷管理装置に対して印刷オーダを送信する印刷オーダ送信工程とを有し、
前記印刷管理装置は、画像の有効期限を管理する期限管理工程と、前記情報処理装置から印刷オーダを受信した場合に、該印刷オーダで使用する画像に関する前記期間管理工程により管理されている有効期限に基づいて、該印刷オーダの内容を受け付けるか否かを判断するオーダ受け付け工程とを有し、
前記オーダ受け付け工程は、前記有効期限の一定期間経過後も印刷オーダを受付可能と判断を行い、前記情報処理装置と前記印刷管理装置との両方で前記画像の有効期限を判断することを特徴とする印刷システムの制御方法。
【請求項１０】
前記印刷管理装置と接続されている、画像を保管する画像保管装置を有することを特徴とする請求項９記載の印刷システムの制御方法。
【請求項１１】
前記印刷管理装置と接続されている、印刷装置を有することを特徴とする請求項９乃至１０記載の印刷システムの制御方法。
【請求項１２】
前記印刷管理装置は、画像を保管している画像保管装置から画像の有効期限情報を受信し、該有効期限情報を前記期限管理手段に登録する登録工程を有していることを特徴とする請求項９乃至１１記載の印刷システムの制御方法。
【請求項１３】
前記印刷管理装置は、前記オーダ受け付け工程によって受け付けた印刷オーダで使用する画像を収集する収集工程を有することを特徴とする請求項９乃至１２記載の印刷システムの制御方法。
【請求項１４】
前記印刷管理装置は、前記収集工程によって集められた画像と前記印刷オーダとに基づいて印刷依頼を生成し前記印刷装置に送信する印刷依頼工程を有することを特徴とする請求項９乃至１３記載の印刷システムの制御方法。
【請求項１５】
前記印刷管理装置は、前記情報処理装置とインターネットを介して接続されるウェブサーバであることを特徴とする請求項９乃至１４記載の印刷システムの制御方法。
【請求項１６】
前記印刷装置から情報処理装置が受信した画像は、保管されている画像から縮小された編集用の低解像度の画像であり、前記印刷オーダは、該編集用画像を用いた編集履歴をスクリプト形式で記述したものであることを特徴とする請求項９乃至１５記載の印刷システムの制御方法。
【請求項１７】
前記請求項９乃至１６のいずれか１項に記載の印刷システムの制御方法の各工程をコンピュータに実行させるためのプログラムを記憶したコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は、ネットワークを介して画像の印刷処理を行う印刷システムに関して、該システムにおけるプリントオーダ中に含まれる受注判定処理に関するコンピュータなど処理装置上のプログラム、及び前記プログラムを含むシステムに関する。
【手続補正４】
【補正対象書類名】明細書
【補正対象項目名】０００６
【補正方法】変更
【補正の内容】
【０００６】
【課題を解決するための手段】
上記目的を達するために本出願に係る発明の印刷システムは、印刷オーダを生成する情報処理装置と、該印刷オーダを受け付ける印刷管理装置とを有し、前記情報処理装置は、前記印刷管理装置から画像と該画像の有効期限情報とを受信し該画像に基づいて印刷オーダの生成を行い、該印刷オーダ生成の際に、印刷オーダで使用する画像に関する前記有効期限情報に基づき、印刷が可能であるかを判定する期限判断手段と、前記期限判断手段により印刷が可能であると判断された場合に、前記印刷管理装置に対して印刷オーダを送信する印刷オーダ送信手段とを有し、前記印刷管理装置は、画像の有効期限を管理する期限管理手段と、前記情報処理装置から印刷オーダを受信した場合に、該印刷オーダで使用する画像に関する前記期間管理手段により管理されている有効期限に基づいて、該印刷オーダの内容を受け付けるか否かを判断するオーダ受け付け手段とを有し、前記オーダ受け付け手段は、前記有効期限の一定期間経過後も印刷オーダを受付可能と判断を行い、前記情報処理装置と前記印刷管理装置との両方で前記画像の有効期限を判断することを特徴とする。
【手続補正５】
【補正対象書類名】明細書
【補正対象項目名】０００７
【補正方法】変更
【補正の内容】
【０００７】
更に、本出願に係る発明の印刷システムは、前記印刷管理装置と接続されている、画像を保管する画像保管装置を有することを特徴とする。
【手続補正６】
【補正対象書類名】明細書
【補正対象項目名】０００８
【補正方法】変更
【補正の内容】
【０００８】
更に、本出願に係る発明の印刷システムは、前記印刷管理装置と接続されている、印刷装置を有することを特徴とする。
【手続補正７】
【補正対象書類名】明細書
【補正対象項目名】０００９
【補正方法】変更
【補正の内容】
【０００９】
更に、本出願に係る発明の印刷システムは、前記印刷管理装置は、画像を保管している画像保管装置から画像の有効期限情報を受信し、該有効期限情報を前記期限管理手段に登録する登録手段を有していることを特徴とする。
【手続補正８】
【補正対象書類名】明細書
【補正対象項目名】００１０
【補正方法】変更
【補正の内容】
【００１０】
更に、本出願に係る発明の印刷システムは、前記印刷管理装置は、前記オーダ受け付け手段によって受け付けた印刷オーダで使用する画像を収集する収集手段を有することを特徴とする。
【手続補正９】
【補正対象書類名】明細書
【補正対象項目名】００１１
【補正方法】変更
【補正の内容】
【００１１】
更に、本出願に係る発明の印刷システムは、前記印刷管理装置は、前記収集手段によって集められた画像と前記印刷オーダとに基づいて印刷依頼を生成し前記印刷装置に送信する印刷依頼手段を有することを特徴とする。
【手続補正１０】
【補正対象書類名】明細書
【補正対象項目名】００１２
【補正方法】変更
【補正の内容】
【００１２】
更に、本出願に係る発明の印刷システムは、前記印刷管理装置は、前記情報処理装置とインターネットを介して接続されるウェブサーバであることを特徴とする。
【手続補正１１】
【補正対象書類名】明細書
【補正対象項目名】００１３
【補正方法】変更
【補正の内容】
【００１３】
更に、本出願に係る発明の印刷システムは、前記印刷装置から情報処理装置が受信した画像は、保管されている画像から縮小された編集用の低解像度の画像であり、前記印刷オーダは、該編集用画像を用いた編集履歴をスクリプト形式で記述したものであることを特徴とする。
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】０５７９
【補正方法】変更
【補正の内容】
【０５７９】
【発明の効果】
以上述べたように本発明は印刷を所望する画像あるいは文書のプリントオーダに含まれる画像に対してプリントオーダの有効期限を判定して印刷オーダの発行あるいは受注を制御するので、発行あるいは受注された印刷オーダは、完全な印刷が可能となり、依頼されたオーダの画像が有効期限切れによってすでに消去されているという不具合がなくなるという効果が得られる。
【手続補正１６】
【補正対象書類名】明細書
【補正対象項目名】０５８０
【補正方法】変更
【補正の内容】
【０５８０】
更には、データ処理手段中の有効期限に対して、受注時に猶予を設けることで、再印刷等のトラブルを考慮し、かつ運用が簡便なる印刷システムの提供が可能となった。